(57)【要約】【課題】車中又は車外にて多彩な映像の投射を行なうことができる投射装置、スクリーンボックス装置、及び投射方法を提供する。【解決手段】入力された映像信号に応じた投射光を投射する投射部１１と、投射部を格納する筐体部Ｂと、筐体部を車両内の天井Ｃに接続する機能をもつ接続部１６と、筐体部の一側面に設けられ、投射部からの投射光が照射されると映像を表示する透過型のスクリーン部材を有し、このスクリーン部材を投射光の進路から選択的に外し又は筐体部から着脱可能に取り外すことで、投射光を筐体部の外部に照射させる機能をもつスクリーン部Ｓ１とをもつ投射装置。【選択図】図１
2006335126.tif 000002
【特許請求の範囲】
【請求項１】
入力された映像信号に応じた投射光を投射する投射部と、
前記投射部を格納する筐体部と、
前記筐体部を車両内天井に接続する機能をもつ接続部と、
前記筐体部の一側面に設けられ、前記投射部からの投射光が照射されると映像を表示する透過型のスクリーン部材を有し、このスクリーン部材を前記投射光の進路から選択的に外し又は前記筐体部から着脱可能に取り外すことで、前記投射光を前記筐体部の外部に照射させる機能をもつスクリーン部と、を具備することを特徴とする投射装置。
【請求項２】
前記スクリーン部は、外部から駆動信号を受けることにより、前記スクリーン部材を移動して前記投射光の進路から外すためのモータ機構を有することを特徴とする請求項１記載の投射装置。
【請求項３】
前記スクリーン部は、外部から駆動信号を受けることにより、前記スクリーン部材を巻き取って前記投射光の進路から外すためのモータ機構を有することを特徴とする請求項１記載の投射装置。
【請求項４】
前記投射光が前記スクリーン部のスクリーン部材に投射する場合のフォーカス位置を測定して設定し、前記筐体部の外であって前記投射光の進路上に設置されるスクリーンに投射する場合のフォーカス位置を測定して設定し、操作部からの操作信号が指定するスクリーンに対応する設定に基づいて、リア方式又はフロント方式とフォーカス位置を決定し、これらに基づいて特定されたスクリーンに投射光を投射するべく制御する制御部を更に有する請求項１記載の投射装置。
【請求項５】
前記投射光が前記スクリーン部のスクリーン部材に投射する場合の輝度及び色特性の最適値を設定し、前記筐体部の外であって前記投射光の進路上に設置されるスクリーンに投射する場合の輝度及び色特性の最適値を設定し、操作部からの操作信号が指定するスクリーンに対応する設定に基づいて、輝度及び色特性を決定し、これらの輝度及び色特性によって投射光を投射するべく制御する制御部を更に有する請求項１記載の投射装置。
【請求項６】
前記投射光が前記スクリーン部のスクリーン部材に投射する場合の音声の出力先と最適な音声特性を設定し、前記筐体部の外であって前記投射光の進路上に設置されるスクリーンに投射する場合の音声の出力先と最適な音声特性を設定し、操作部からの操作信号が指定するスクリーンに対応する設定に基づいて、音声の出力先と最適な音声特性を決定し、与えられた音声信号を前記音声特性で補正し、前記出力先に出力するべく制御する制御部を更に有する請求項１記載の投射装置。
【請求項７】
操作部からの操作信号に応じて、前記スクリーン部のスクリーン部材に投射する場合は、前記スクリーン部材を移動することなく前記投射光の投射を行い、又、前記筐体部の外であって前記投射光の進路上に設置されるスクリーンに投射する場合は、前記スクリーン部材を移動して前記投射光を前記筐体部の外部のスクリーンに照射させるべく制御する制御部を更に有する請求項１記載の投射装置。
【請求項８】
投射光を投射する投射装置を格納するための構造をもつ筐体部と、
前記筐体部を車両内天井に接続する機能をもつ接続部と、
前記筐体部の一側面に設けられ、前記投射装置からの投射光が照射されると映像を表示する透過型のスクリーン部材を有し、このスクリーン部材を前記投射光の進路から外し又は前記筐体部から着脱可能に取り外すことで、前記投射光を前記筐体部の外部に照射させる機能をもつスクリーン部とを具備することを特徴とするスクリーンボックス装置。
【請求項９】
前記スクリーン部は、外部から駆動信号を受けることにより、前記スクリーン部材を移動して前記投射光の進路から外すためのモータ機構を有することを特徴とする請求項８記載のスクリーンボックス装置。
【請求項１０】
前記スクリーン部は、外部から駆動信号を受けることにより、前記スクリーン部材を巻き取って前記投射光の進路から外すためのモータ機構を有することを特徴とする請求項８記載のスクリーンボックス装置。
【請求項１１】
入力された映像信号に応じた投射光を投射する投射部と、
前記投射部を格納する筐体部と、
前記筐体部を車両内の天井に接続する機能をもつ接続部と、
前記筐体部の一側面に設けられ、前記投射部からの投射光が照射されると映像を表示する透過型のスクリーン部材を有し、このスクリーン部材を前記投射光の進路から外すためのモータ機構を有する第１スクリーン部と、
前記筐体部の外であって、前記投射部からの投射光の進路上であって前記車両の中から視聴されるために設置される第２スクリーン部と、
前記筐体部の外であって、前記投射部からの投射光の進路上であって前記車両の外から視聴されるために設置される第３スクリーン部とを有する投射システムに対して、
前記第１乃至第３スクリーン部の内の一つを特定するスクリーンスイッチを有するリモコン部を用いて、前記リモコン部のスクリーンスイッチの操作することで前記第２又は第３スクリーン部を指定した場合、前記第１スクリーン部のモータ機構を用いて前記スクリーン部材を前記投射光の進路から外して、前記第２又は第３スクリーン部に照射光を照射させることを特徴とする投射方法。
【発明の詳細な説明】
【技術分野】
【０００１】
この発明は、ランプ部をもつ投射装置に関し、特に、車両内部に設置が可能なスクリーンボックス装置、投射装置、及び投射方法に関する。
【背景技術】
【０００２】
最近、多くのデジタル映像機器が普及してきており、例えば、液晶プロジェクタやＤＬＰプロジェクタ等の光源ランプを用いた投射装置がある。このような投射装置は、その基本性能が向上すると共に、多種多様な用いられ方が望まれてきている。すなわち、車内でプロジェクタの視聴を行ないたいという要望があり、これに関する幾つかの従来技術が知られている。
【０００３】
特許文献１は、車載用プロジェクタ装置を示しており、後部座席からプロジェクタを専用スクリーンで視聴するための装置である。ここでは、本体の角度を変えることでスクリーンに映像光が投射可能となる。
【０００４】
又、特許文献２は、車のフロントガラスにプロジェクタから映像光を照射して、映像を視聴することができる車載ディスプレイ装置を示している。
【特許文献１】特開平７−１６２７８３号公報。
【特許文献２】特開２００４−２２４２３５公報。
【特許文献３】特開平８−６９０５２号公報。
【発明の開示】
【発明が解決しようとする課題】
【０００５】
上記の特許文献１及び特許文献２においては、それぞれ、比較的狭い車内で固定的な視聴の仕方が開示されているに過ぎない。しかし、最近の乗用車の傾向として、車内の天井が高く乗車席と荷室が１つの空間にあるワゴンタイプの車種や、６人乃至８人乗等の３列シートのミニバンタイプの車種が広く普及してきている。このような車内の広い車種に対しては、更に、多様なプロジェクタの視聴の可能性があるが、これらの従来技術は、その方法について言及されていないという問題がある。
【０００６】
本発明は、車中又は車外にて多彩な映像の投射を行なうことができる投射装置、スクリーンボックス装置、及び投射方法を提供することを目的とする。
【課題を解決するための手段】
【０００７】
本発明の一実施形態は、入力された映像信号に応じた投射光を投射する投射部と、前記投射部を格納する筐体部と、前記筐体部を車両内天井に接続する機能をもつ接続部と、前記筐体部の一側面に設けられ、前記投射部からの投射光が照射されると映像を表示する透過型のスクリーン部材を有し、このスクリーン部材を前記投射光の進路から選択的に外し又は前記筐体部から着脱可能に取り外すことで、前記投射光を前記筐体部の外部に照射させる機能をもつスクリーン部とを具備することを特徴とする投射装置である。
【発明の効果】
【０００８】
上記の投射装置において、投射装置が格納される筐体に設けられたスクリーンに映像を投射したり、車内に設けられたスクリーンに投射したり、車外のスクリーンに投射するという多彩な視聴を行なうことが可能となる。
【発明を実施するための最良の形態】
【０００９】
以下、図面を参照しながら、本発明の一実施形態に係る投射装置の実施形態について詳細に説明する。本発明の一実施形態に係る投射装置は、投射装置を格納する筐体部に設けられたスクリーンに映像を投射したり、筐体部の外であり車中に設けたスクリーンに映像を投射したりすることが行えるものである。以下では、特に、プロジェクタ装置である投射装置を例にとって、図面を用いて詳細に説明する。
【００１０】
すなわち、図１は、本発明の一実施形態に係る投射装置の第１スクリーン及び第２スクリーンでの投射の一例を示す説明図、図２は、同じく投射装置の第３スクリーン及び第４２スクリーンでの投射の一例を示す説明図、図３は、同じく投射装置の第１スクリーンでの投射の一例を示す説明図、図４は、同じく投射装置の第４スクリーンでの屋外の投射の一例を示す説明図、図５は、同じく投射装置とスクリーンボックスの一例を示す断面図、図６は、同じく投射装置とスクリーンボックスの一例を示す断面図、図７は、同じく投射装置とスクリーンボックスの一例を示す断面図、図８は、同じく投射装置とスクリーンボックスの一例を示す断面図、図９は、同じく投射装置のスクリーンボックスと車両の天板との接続を説明する断面図、図１０は、本発明の一実施形態に係る投射装置の構造の一例を示すブロック図、図１１は、同じく投射装置の設定処理及び操作処理の一例を示すフローチャートである。
【００１１】
＜本発明の一実施形態に係る投射装置＞
（視聴態様の概要）
初めに、本発明の一実施形態に係る投射装置の投射方法の各形態について、図面を用いて少なくとも４つのタイプにつき以下に説明するが、本発明の実施はこれらの実施形態に限定されない。
【００１２】
・スクリーンボックスのスクリーンＳ１（リア方式：車内視聴）（図１（ａ），図３）
スクリーンボックスＢのスクリーンＳ１で視聴する方法であり、基本的な視聴形態であって、リア方式により車内視聴する場合である。画面サイズは最小となるが、後部座席において安定した視聴が行なえる。すなわち、投射部１１が露出しておらず、スクリーンボックスＢの中に配置されているため、投射部１１からスクリーンＳ１までスクリーンボックスＢで覆われる。これにより、外光の影響を少なく抑えることができるので、日中でも映像を視聴することが可能となる。
【００１３】
・車内のスクリーンＳ２（フロント方式：車内視聴）（図１（ｂ））
車内の後部座席の後ろや、３列目座席を倒した位置等に、専用のスクリーンＳ２を設置してフロント方式により車内視聴する場合である。視聴画面は、スクリーンＳ１よりもかなり大きくなり、走行中であっても迫力のある映像を視聴することができる。ただし、天候のよい日中の視聴は難しく、又、図１（ｂ）に示すように適宜、座席をアレンジする必要がある。
【００１４】
なお、ここで、フロント方式の場合には、投射する画像をリア方式の場合と比べて、左右反転して投射するものである。この際、音声もフロントスピーカ及びリアスピーカにおいて、左右を入れ替えて再生することが好適である。
【００１５】
・車内のスクリーンＳ３（リア方式：車内視聴）（図１（ｃ））
３列目座席の後ろ、荷台位置あたりに、専用のスクリーンＳ３を設置してリア方式によりバックドアｄを開いて車外で視聴する場合である。視聴画面は、スクリーンＳ２よりも更に大きくなり迫力のある映像を視聴することができる。
【００１６】
・車外のスクリーンＳ４（リア方式：車外視聴）（図２（ｂ），図４）
バックドアｄの適所に設置した専用のスクリーンＳ４にリア方式により投射して、車外で視聴する場合である。視聴画面は、スクリーンＳ３よりも一層大画面となり、車体の構成を覆うことも可能となる。従って、通常のプロジェクタのスクリーンと同様に違和感なく、容易な設置方法により、図４に示すように、例えば屋外のキャンプ場等で大勢で迫力のある大画面で映像を視聴することが可能となる。
【００１７】
（投射装置の構成）
本発明の一実施形態である投射装置について、図面を用いて以下に詳細に説明する。本発明に係る投射装置は、少なくとも光を透過させない部材により箱状に形成された筐体部であるスクリーンボックスＢと、このスクリーンボックスＢを車両Ｃの天井に安定して接続するための接続ユニット１６と、投射装置本体の機能をもった投射部１１と、着脱可能な、又は、モータ２２等で自動的に、投射部１１からの投射光の進路から外すことができる専用スクリーンＳ１のための専用スクリーン部材１２と、専用スクリーン部材１２を収納させるためのモータ機構２２とを有している。更に、本発明に係る投射装置は、スクリーンボックスＢの例えば底部に設けられたスピーカＳＰ１と、熱換気のためのファンＦとを有することが好適である。又、外部からの電源、映像・音声の入出力のための配線ライン２１が確保されている。
【００１８】
このような構成において、例えば、モータ機構２２は、専用スクリーン部材１２を保持する蝶番（ちょうつがい）機構を駆動させるものであり、後述する制御部１２７及びモータドライバ１４１の駆動によって、図６に示すように専用スクリーン部材１２を投射装置のスクリーンボックスＢの低部側に収納させる。
【００１９】
又、スクリーン部材１２を収納させるモータ機構２２は、図７に示すようにスクリーンボックスＢの上辺部に設けられ、制御部１２７及びモータドライバ１４１の駆動によって、車内天井側に振り切ったことを検知して停止するものであっても好適である。
【００２０】
更に、図８に示すように、スクリーン部材１２を巻取り可能な柔軟性のある部材とし、専用の巻取りモータ機構２３を設け、後述する制御部１２７及びモータドライバ１４１の駆動によって、巻き上げるものであることが好適である。更に、これと対をなす巻取りモータ機構２４を設け、巻き取られたスクリーン部材１２とこの巻取りモータ機構２４とを透明部材等によりつないでおいて、再び、スクリーン部材１２を使用したいときは、モータ機構２３，２４を後述する制御部１２７及びモータドライバ１４１の駆動によって、逆回転させて戻すものであってもよい。
【００２１】
又、巻戻し用のモータ機構２４を設ける代わりに、ユーザのマニュアルによりスクリーン部材１２を引っ張り出して、スクリーンボックスＢの下辺部分に引っ掛ける構成として、スクリーンＳ１の復元を実現するものであってもよい。
【００２２】
又、更に、スクリーン部材１２の着脱について、特に電動機能を設けることなく、単に，ユーザがスクリーン部材１２を取り外したり、取り付けたりする構成であることも好適である。
【００２３】
又、上記した実施形態では、スクリーン部材１２は上方、下方に収納しているが、右側面又は左側面に収納するものであってもよい。すなわち、上記と同様のモータ機構等を設け、スクリーン部材１２をスクリーンボックスＢの右側面又は左側面に収納したり、又、巻取り構成を設けて、スクリーンボックスＢの筐体の空間内に収納してしまうことも好適である。
【００２４】
・接続ユニット１６
更に、スクリーンボックスＢを車両Ｃの天井等に確実に安定させて接続するための、接続ユニット１６の一実施形態について、図９を用いて以下に説明する。投射装置は、一定重量を伴うものであり、更に、安定して天井等に固定しないと、車両の走行の影響を受けて映像自体が振動する等の不具合が発生するため、確実に車両Ｃの天井等に設置されなければならない。
【００２５】
図９において、車両Ｃの金属性の天井板Ｃに対して、接続ユニット１６−１が工場等において、本体の投射装置の重量以上の重量負荷に耐えることを想定して、溶接等により接続されている。ここでは、接続ユニット１６−１は、アーム部分をもっており、接続ユニット１６−２と嵌合されて固定することができるアーム部分を伴う構成をもっている。
【００２６】
更に、他方の接続ユニット１６−２は、ネジ１７に溶接され、又、ネジ１７が接続ユニット１６−２を貫通してナット等により固定されることができる構成により設けられている。この接続ユニット１６−２は、スクリーンボックスＢと、ネジ及びナット等で接続されることで、本体の投射装置の重量以上の必要な耐重量負荷を実現するものである。
【００２７】
なお、接続ユニット１６は、この実施形態に限定されるものではなく、様々な形態により必要な耐重量負荷を実現するものである。例えば、接続ユニット１６は、必ずしも二部に分離して嵌合させるものでなくともよく、一つの部材により実現するものであっても構わない。
【００２８】
又、車両Ｃの純正品として本発明に係る投射装置を最初から設計することにより、例えば、車両Ｃの天井板から直接に取付ネジ的な機能をもった冶具（投射装置取付けない時はキャップ等で覆っておく）が形成されており、この冶具に専用のナット的な機能をもった冶具を結合させることで、スクリーンボックスＢを固定させるものであっても構わない。
【００２９】
又、接着剤や磁石部材を用いて、車両Ｃの天井板とスクリーンボックスＢとの間に必要な耐重量負荷を実現することも好適である。
【００３０】
（投射部１１の構成）
このような投射部１１は、図１０に示すように、以下のような構成の一例を有しており、この図では、一般的な３板式ＬＣＤプロジェクタの例を示している。すなわち、図１０において、投射部１１は、図５等で上述した配線ライン２１を経由して配線することができる入力端子等として、一例として、主にコンピュータ等が接続されるＤ−ＳＵＢ端子１１３と、主に業務用ＶＴＲ（Video Tape Recorder）や、ＢＳデジタルチューナ、ＤＶＤプレーヤ等が接続されることが多いＹＣｂＣｒ端子１１４と、ＶＴＲやテレビジョン等に使用されるＳビデオ端子１１５と、コンポジット信号であるＣＶＢＳ端子１１６とが、少なくとも、入力選択部１２０に接続されている。又、更に、音声端子１１８がオーディオプリアンプ部１２１に接続されている。オーディオプリアンプ部１２１では、入力信号が主に音量や音質・音響効果等の処理がなされた上で、オーディオアンプ部１２２に供給される。
【００３１】
又、更に、入力選択部１２０において、選択され映像変換されたＲＧＢ信号は、制御部１２７に供給される。又、制御部１２７からの制御信号に応じて、入力選択部１２０及びオーディオプリアンプ部１２１は、その動作処理が制御されている。
【００３２】
又、更に、投射部１１は、本体に設けられる電源スイッチ、操作スイッチ等の操作部１２３と、操作情報を表示する操作表示部１２３−２と、リモコンＲと通信処理を行うリモコン部１２４と、メモリ部１２６とを有しており、これらは、それぞれ、制御部１２７に接続されている。又、制御部１２７は、メモリ部１２８とを有しており、更に、レンズユニット１３１−２に内蔵するフォーカスモータ・ズームモータ１３９がこれを駆動するモータドライバ１３７を介して接続されている。
【００３３】
更に、制御部１２７の出力を受けて、映像処理を施すビデオ処理部１３４と、ビデオ処理部１３４で映像処理された映像信号をＲ信号、Ｇ信号、Ｂ信号毎に展開する展開部１３５と、ここから液晶表示駆動電流を受けて、液晶画面等に画像表示を行うＲ液晶表示部１３６Ｒ、Ｇ液晶表示部１３６Ｇ、Ｂ液晶表示部１３６Ｂを有している。
【００３４】
更に、投射部１１は、電源部１２９を有し、電源部１２９からは、所望の出力比率の駆動電流がランプ部１３１に供給されており、ランプ部１３１では、投射した投射光は、それぞれ、液晶表示部１３６Ｒ，１３６Ｇ，１３６Ｂに到達し透過して、映像を乗せた投射光として、スクリーン等に投射される。
【００３５】
又、更に、投射部１１の光学的構成として、ランプ部１３１から照射された照射光は、図示しないマルチレンズと、これに隣接して設けられた凸レンズとを通過して、透過ミラーを通過し又はこれに反射して、各液晶パネル１３６Ｒ，１３６Ｇ，１３６Ｂを透過する。これにより、投射ランプ１３１からの照射光は、映像を乗せた状態でレンズユニット１３１−２から照射され、投射光が投射されるスクリーン等に映像を結像させる。ここで、レンズユニット１３１−２は、フォーカスモータ、ズームモータＭを内蔵しており、制御部１２７からそれぞれ制御信号を供給されて適正なフォーカス制御、ズーム制御を行っている。
【００３６】
又、図１０において、本発明の一実施形態に係る投射部１１に用いられるリモコンＲは、入力信号の切替えを行う入力切替ボタン、メニュでの選択や調整などで選択や決定などを行う選択・ＯＫボタン、各カーソルキー、メニュの表示を行うメニュボタン、又、更に、各スクリーン１乃至４を呼び出すためのスクリーンスイッチ１乃至スクリーンスイッチ４（１５１）等をそれぞれ有している。
【００３７】
又、更に、本発明の一実施形態に係る投射部１１が外部装置と接続される際は、例えば、外部入力装置であるビデオデッキが、コンポジット端子１１６とオーディオ端子１１８、Ｓビデオ端子１１５を用いて接続されている。又、本発明の一実施形態に係る投射部１１と、外部入力装置であるＤＶＤプレーヤが、ＹＣｂＣｒ端子１１４を用いて接続される。又、本発明の一実施形態に係る投射部１１と、外部入力装置であるパーソナルコンピュータが、Ｄ−ＳＵＢ端子１１３を用いて接続されることが一般的である。
【００３８】
（基本動作）
次に、上記した投射部１１の動作について図面を用いて以下に詳細に説明する。初めに操作部１２３やリモコンＲの電源投入の操作を受けると投射部１１が起動され、入力切替ボタン等で特定される映像信号が入力選択部１２０により選択される。すなわち、ここでは、リモコンＲ等の入力切替えボタンの操作により、例えば、“ＹＰｂＰｒ”が選ばれると、入力選択部１２０によりＹＰｂＰｒ端子１４を介して外部のＤＶＤプレーヤからのコンポーネント映像信号が選択される。そして、コンポーネント映像信号は、入力選択部１２０により信号種類が判断され、その信号種類に応じた画像変換処理がなされて、ＲＧＢ信号が出力される。
【００３９】
入力選択部１２０から供給されたＲＧＢ信号は、制御部１２７に供給される一方、操作部１２３やリモコン部１２４により、例えば、サイズボタンで指定された映像様式や映像サイズに応じて、設定モード設定部３３により制御信号がビデオ処理部１３４へと供給される。ビデオ処理部１３４では、与えられた制御信号に応じて、制御部１２７から供給されたＲＧＢ信号に対して画像変換処理を施し、要求されている映像様式や映像サイズへと変換する。
【００４０】
なお、後述する各スクリーン種類Ｓ１乃至Ｓ４のフロント方式、リア方式に応じて、映像信号に施される処理は、上記のビデオ処理部１３４、又は、Ｒ，Ｇ，Ｂ展開部１３５、更にはＲ，Ｇ，Ｂ液晶表示部１３６Ｒ，１３６Ｇ，１３６Ｂにおいて、それぞれ可能である。従って、後述するリモコンＲのスクリーンスイッチ１５１等の操作に応じて、映像信号がフロント方式、リア方式に応じた処理が施される。
【００４１】
更に、映像モードの選択を行う操作が例えば“ＣＩＮＥＭＡ”とあれば、これに応じた映像モードとなるべくＲＧＢ信号に画像処理を施して、例えば映画用の映像信号へと変換する。
【００４２】
変換された映像信号は、ビデオ処理部１３４から展開部１３５に供給され、Ｒ信号、Ｇ信号、Ｂ信号ごとに展開され、Ｒ液晶表示部１３６Ｒ、Ｇ液晶表示部１３６Ｇ、Ｂ液晶表示部１３６Ｂの液晶画面へとそれぞれ映像表示される。一方で、電源部１２９から電源が供給されたランプのドライバ部１３０では、例えば、１００％の出力や、５０％の出力等の制御を受けて、ランプ部１３１に駆動電流を供給している。ランプ部１３１は、この駆動電流に応じて、投射光を発光させ、図示しないマルチレンズや隣接して設けられた凸レンズを通過し、透過ミラーを通過し又はこれに反射して、各液晶パネル１３６Ｒ，１３６Ｇ，１３６Ｂを透過する。これにより、投射ランプ１３１からの投射光は、映像を乗せた状態でレンズユニット１３１−２を介して照射され、投射光が投射される図示しないスクリーン等に映像を結像させる。
【００４３】
又、更に、レンズユニット１３１−２は、操作部１２３、リモコン部１２４のズームボタン等の操作に応じて、制御部１２７で生成された制御信号がフォーカスモータＭやズームモータＭに供給され、投射光に適切なフォーカス制御やズーム制御を与えている。
【００４４】
以上、説明したように、このような基本機能を有する投射部１１において、以下に述べるように、例えば、リモコンＲ等のスクリーンスイッチ１５１の操作に応じて、スクリーン種類（Ｓ１乃至Ｓ４）に応じた各種設定及びこれら設定の適用処理が行なわれる。
【００４５】
＜スクリーンスイッチの設定処理と適用処理＞
次に、本発明の一実施形態に特有のリモコンＲ（操作部１２３上でもよい）のスクリーンスイッチ１５１に応じた設定処理と適用処理について説明する。図１１のフローチャートにおいて、主にリモコンＲの操作に応じて、少なくとも４種類（これに限らない）のスクリーンＳにそれぞれの設定値がデフォルト値として出荷時において与えられている。
【００４６】
これは特に本発明の一実施形態である投射装置が、一つの車種の純正品として与えられている場合は、各種設定値が工場出荷時においてかなり正確に決定することができるため、有効なデフォルト値を設定することが可能となる。
【００４７】
又、更に、ユーザの操作により、図１１のフローチャートに示すように、実際にスクリーンに映像を投射しながら、最適値を決定し設定し、その後の操作により呼び出すことが可能となる。リモコン部Ｒのスクリーンスイッチ１５１の操作に応じた操作信号をリモコン部１２４が受けると、これらの操作信号は制御部１２７に供給され、制御部１２７は、指定されたスクリーン種類に応じた各種設定値を記憶し、又、使用時に指定されたスクリーンの設定を再生して使用するものである。
【００４８】
すなわち、ユーザがリモコンＲのスクリーンスイッチ１５１により、図示しない設定モードスイッチと共にスクリーンスイッチ１（１５１）を押下すると、制御部１２７により、スクリーンスイッチ１用の各種設定値が記憶される。すなわち、ユーザがマニュアルで又はモータ機構２２等の働きによりスクリーンＳ１をセッティングし、例えば車載用のＤＶＤやＴＶチューナ等から映像信号を投射部１１に供給し、スクリーンＳ１上に映像を投射しながら、最適なフォーカス及び輝度、リア方式（スクリーンＳ１はリア方式に限られる）、音声出力を行なうスピーカ先（スピーカＳＰ１，ＳＰ２等）、音声特性（音量、音質、エコー等）、色特性等を設定する（Ｓ１１）。最良点が決まれば、これを記憶領域にスクリーンＳ１の設定として記憶する（Ｓ１２）。
【００４９】
同様に、ユーザがリモコンＲのスクリーンスイッチ１５１により、図示しない設定モードスイッチと共にスクリーンスイッチ２（１５１）を押下すると、制御部１２７により、スクリーンスイッチ２用の各種設定値が記憶される。すなわち、ユーザがスクリーンＳ２をセッティングし、映像信号を投射部１１に供給し、スクリーンＳ２上に映像を投射しながら、最適なフォーカス及び輝度、フロント方式（スクリーンＳ２はフロント方式に限られる）、音声出力を行なうスピーカ先（スピーカＳＰ３等）、音声特性（音量、音質、エコー等）、色特性等を設定する（Ｓ１３）。最良点が決まれば、これを記憶領域にスクリーンＳ２の設定として記憶する（Ｓ１４）。
【００５０】
同様に、ユーザがリモコンＲのスクリーンスイッチ１５１により、図示しない設定モードスイッチと共にスクリーンスイッチ３（１５１）を押下すると、制御部１２７により、スクリーンスイッチ３用の各種設定値が記憶される。すなわち、ユーザがスクリーンＳ３をセッティングし、映像信号を投射部１１に供給し、スクリーンＳ３上に映像を投射しながら、最適なフォーカス及び輝度、リア方式（スクリーンＳ３はリア方式に限られる）、音声出力を行なうスピーカ先（スピーカＳＰ３等）、音声特性（音量、音質、エコー等）、色特性等を設定する（Ｓ１５）。最良点が決まれば、これを記憶領域にスクリーンＳ３の設定として記憶する（Ｓ１６）。
【００５１】
同様に、ユーザがリモコンＲのスクリーンスイッチ１５１により、図示しない設定モードスイッチと共にスクリーンスイッチ３（１５１）を押下すると、制御部１２７により、スクリーンスイッチ３用の各種設定値が記憶される。すなわち、ユーザがスクリーンＳ４をセッティングし、映像信号を投射部１１に供給し、スクリーンＳ４上に映像を投射しながら、最適なフォーカス及び輝度、リア方式（スクリーンＳ４もリア方式に限られる）、音声出力を行なうスピーカ先（スピーカＳＰ３等）、音声特性（音量、音質、エコー等）、色特性等を設定する（Ｓ１７）。最良点が決まれば、これを記憶領域にスクリーンＳ４の設定として記憶する（Ｓ１８）。
【００５２】
その後、ユーザの操作によりリモコンＲ等で、スクリーンスイッチ１５１を操作して、所望のスクリーンＳ１乃至Ｓ４を呼び出す。そして、これに応じた設定事項が記憶領域から呼び出され、フォーカス、輝度、フロント／リア方式、スピーカ先、音声特性、色特性、輝度等を最適化して、映像光を投射する。
【００５３】
なお、フロント方式、リア方式に応じて、スクリーンボックスＢのスクリーンＳ１がモータ機構２２，２３等で投射光の進路から外され、又、設置されることで、設定を容易にするものである。又、マニュアルで設定する仕様の場合は、制御部１２７及びメモリ部１２８とオーディオプリアンプ部１２１、オーディオアンプ部１２２の働きによって音声等でユーザにスクリーンＳ１等の設定を促すものであってもよい。
【００５４】
又、更に、ユーザの使用方法においては、図１（ｂ）と図２（ａ）の一方だけを使用する場合が考えられる。従って、スクリーンＳ１を外した場合は、フロント方式にするかリア方式にするかを予め投射装置のメモリ部１２８に記憶しておき、この記憶された方式に従って映像及び音声を照射し出力することが好適である。
【００５５】
以上のように本発明の一実施形態である撮像装置においては、複数の所望のスクリーンＳ１乃至Ｓ４等の使用を例えばリモコンＲ等で呼び出すことができ、状況に応じた多彩な方法で視聴することができる。これにより、ドライブ中又はドライブ先において、所望の方法で映像を大画面で視聴することが容易に可能となるものである。
【００５６】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００５７】
例えば、上記の実施形態では、スクリーンは４つの場合を説明しているが、スクリーン種類はこれに限らず、ユーザの要望や状況、仕様に応じて、多様なスクリーンの形態が可能となるものであり、これらは全て本発明の実施形態の範囲となるものである。
【図面の簡単な説明】
【００５８】
【図１】本発明の一実施形態に係る投射装置の第１スクリーン及び第２スクリーンでの投射の一例を示す説明図。
【図２】本発明の一実施形態に係る投射装置の第３スクリーン及び第４２スクリーンでの投射の一例を示す説明図。
【図３】本発明の一実施形態に係る投射装置の第１スクリーンでの投射の一例を示す説明図。
【図４】本発明の一実施形態に係る投射装置の第４スクリーンでの屋外の投射の一例を示す説明図。
【図５】本発明の一実施形態に係る投射装置とスクリーンボックスの一例を示す断面図。
【図６】本発明の一実施形態に係る投射装置とスクリーンボックスの一例を示す断面図。
【図７】本発明の一実施形態に係る投射装置とスクリーンボックスの一例を示す断面図。
【図８】本発明の一実施形態に係る投射装置とスクリーンボックスの一例を示す断面図。
【図９】本発明の一実施形態に係る投射装置のスクリーンボックスと車両の天板との接続を説明する断面図。
【図１０】本発明の一実施形態に係る投射装置の構造の一例を示すブロック図。
【図１１】本発明の一実施形態に係る投射装置の設定処理及び操作処理の一例を示すフローチャート。
【符号の説明】
【００５９】
Ｂ…スクリーンボックス装置、Ｓ１…第1スクリーン部、Ｓ２…第２スクリーン部、Ｓ３…第３スクリーン部、Ｓ４…第４スクリーン部、１２７…制御部、１２８…メモリ部、１２９…電源部、１３０…ドライブ部、１３４…ビデオ処理部、１３５…展開部、１３６…液晶表示部。
【図１】
2006335126.tif 000003
【図２】
2006335126.tif 000004
【図３】
2006335126.tif 000005
【図４】
2006335126.tif 000006
【図５】
2006335126.tif 000007
【図６】
2006335126.tif 000008
【図７】
2006335126.tif 000009
【図８】
2006335126.tif 000010
【図９】
2006335126.tif 000011
【図１０】
2006335126.tif 000012
【図１１】
2006335126.tif 000013